【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
気道を有する被検体に供給される呼吸ガスの加圧フローの圧力変化のレート及び／又は強制呼気圧力レベルを調整する方法であって、
遷移時間の前、強制吸気圧力レベルで、被検体の気道に供給される呼吸ガスの加圧フローを生成するステップと、
１又は複数の強制吸気パラメータに基づいて遷移時間を識別するステップと、
遷移時間の識別に応じて、前記呼吸ガスの加圧フローの圧力を強制吸気圧力レベルから強制呼気圧力レベルまで低下させるステップと、
被検体による呼息中、フローメトリックの値を決定するステップであって、フローメトリックは、強制呼気の最中に被検体の肺から出るガスフローを示す、ステップと、
前記フローメトリックの目標レベルを取得するステップと、
前記フローメトリックの決定された値を、被検体の肺から出るガスの目標フローレートに対応するフローメトリックの前記目標レベルと比較するステップと、
前記フローメトリックの決定された値と前記フローメトリックの目標レベルとの比較に基づいて、強制呼気圧力、１又は複数の強制吸気パラメータ、又は強制吸気呼気遷移の１又は複数のパラメータ、の１又は複数を調整するステップと、
次の呼吸中、調整された強制呼気圧力、調整された１又は複数の強制吸気パラメータ、及び／又は強制吸気呼気遷移の調整された１又は複数のパラメータを実現するステップと、
を含む方法。
【請求項２】
前記フローメトリックの目標レベルより小さい前記フローメトリックの決定された値に応じて、前記強制呼気圧力、前記１又は複数の強制吸気パラメータ、及び／又は前記強制吸気呼気遷移の１又は複数のパラメータが、次の呼吸中、強制呼気フローを増大するように調整される、請求項１に記載の方法。
【請求項３】
前記フローメトリックは、フローに関するメトリック、ボリュームに関するメトリック又は圧力に関するメトリックを含む、請求項１に記載の方法。
【請求項４】
１又は複数の強制吸気パラメータが調整され、前記調整される１又は複数の強制吸気パラメータは、強制吸気圧力レベル、強制吸気ボリューム、強制吸気フロー、又は強制吸気期間の１又は複数を含む、請求項１に記載の方法。
【請求項５】
前記強制吸気呼気遷移の１又は複数のパラメータが調整され、前記強制吸気呼気遷移の調整された１又は複数のパラメータは、強制吸気圧力レベルから強制呼気圧力レベルまでの遷移にかかる時間、及び／又は強制吸気圧力レベルから強制呼気圧力レベルまでの呼吸ガスの加圧フローの圧力変化のレート、を含む、請求項１に記載の方法。
【請求項６】
気道を有する被検体の機械誘導される呼気気流を制御するシステムであって、
被検体の気道に供給される呼吸ガスの加圧フローを生成する圧力生成器と、
コンピュータプログラムモジュールを実行する１又は複数のプロセッサであって、前記コンピュータプログラムモジュールは、前記圧力生成器を制御する制御モジュールであって、遷移時間より前、被検体の気道の呼吸ガスの加圧フローの圧力が、強制吸気圧力レベルにあり、遷移時間の後に、被検体の気道における呼吸ガスの加圧フローの圧力レベルが、強制吸気呼気遷移の最中、前記強制吸気圧力レベルより低い強制呼気圧力レベルにあり、１又は複数の強制吸気パラメータに基づいて遷移時間を識別するように構成される制御モジュールと、
被検体による呼息中、フローメトリックの値を決定するメトリック決定モジュールであって、前記フローメトリックが、強制呼気の最中に被検体の肺から出るフローを示す、メトリック決定モジュールと、
前記フローメトリックの目標レベルを取得する目標モジュールと、
前記フローメトリックの決定された値を、前記フローメトリックの前記目標レベルと比較するフロー解析モジュールと、
前記フロー解析モジュールによる比較に基づいて、強制呼気圧力、強制吸気パラメータの１又は複数、又は強制吸気呼気遷移の１又は複数のパラメータ、の１又は複数を調整する調整モジュールと、
を有するシステム。
【請求項７】
前記調整モジュールは、前記フローメトリックの目標レベルより小さい前記フローメトリックの決定された値に応じて、前記強制呼気圧力、前記１又は複数の強制吸気パラメータ、及び／又は前記強制吸気呼気遷移のうち１又は複数のパラメータが、次の呼吸中に強制呼気フローを増大するために調整されるように、構成される、請求項６に記載のシステム。
【請求項８】
前記フローメトリックは、フローに関するメトリック、ボリュームに関するメトリック、又は圧力に関するメトリックを含む、請求項６に記載のシステム。
【請求項９】
前記調整モジュールは、１又は複数の強制吸気パラメータが調整されるように構成され、前記調整される１又は複数強制吸気パラメータは、強制吸気圧力レベル、強制吸気ボリューム、強制吸気フロー、又は強制吸気期間の１又は複数を含む、請求項６に記載のシステム。
【請求項１０】
前記調整モジュールは、前記強制吸気呼気遷移の１又は複数のパラメータが調整されるように構成され、前記強制吸気呼気遷移の調整される１又は複数のパラメータが、強制吸気圧力レベルから強制呼気圧力レベルまでの遷移にかかる時間、及び／又は強制吸気圧力レベルから強制呼気圧力レベルまでの前記呼吸ガスの加圧フローの圧力変化のレート、の一方又は両方を含む、請求項６に記載のシステム。
【請求項１１】
気道を有する被検体の機械誘導される呼気気流を制御するシステムであって、
遷移時間の前、強制吸気圧力レベルで、被検体の気道に供給される呼吸ガスの加圧フローを生成する手段と、
１又は複数の強制吸気パラメータに基づいて、遷移時間を識別する手段と、
遷移時間の識別に応じて、被検体による呼気を始めるために、遷移時間の後、前記呼吸ガスの加圧フローの圧力を前記強制吸気圧力レベルから強制呼気圧力レベルまで低下させる手段と、
被検体による呼息中、フローメトリックの値を決定する手段であって、前記フローメトリックが、強制呼気の最中に被検体の肺から出るガスフローを示す、手段と、
前記フローメトリックの目標レベルを取得する手段と、
前記フローメトリックの決定された値を前記フローメトリックの前記目標レベルと比較する手段と、
前記フローメトリックの決定された値と前記フローメトリックの目標レベルとの比較に基づいて、強制呼気圧力、１又は複数の強制吸気パラメータ、又は強制吸気呼気遷移の１又は複数のパラメータの１又は複数を調整する手段と、
次の呼吸中、調整された強制呼気圧力、調整された１又は複数の強制吸気パラメータ、及び／又は強制吸気呼気遷移の調整された１又は複数のパラメータを実現する手段と、
を有するシステム。
【請求項１２】
前記フローメトリックの目標レベルより小さい前記フローメトリックの決定された値に応じて、前記強制呼気圧力、前記１又は複数の強制吸気パラメータ、及び／又は前記強制吸気呼気遷移の１又は複数のパラメータが、次の呼吸中に強制呼気フローを増大するように、調整される、請求項１１に記載のシステム。
【請求項１３】
前記フローメトリックは、フローに関するメトリック、ボリュームに関するメトリック又は圧力に関するメトリックを含む、請求項１１に記載のシステム。
【請求項１４】
前記調整する手段は、１又は複数の強制吸気パラメータが調整されるように構成され、前記調整される１又は複数強制吸気パラメータが、強制吸気圧力レベル、強制吸気ボリューム、強制吸気フロー又は強制吸気期間の１又は複数を含む、請求項１１に記載のシステム。
【請求項１５】
前記調整する手段は、前記強制吸気呼気遷移の１又は複数のパラメータが調整されるように構成され、前記強制吸気呼気遷移の調整された１又は複数のパラメータが、強制吸気圧力レベルから強制呼気圧力レベルまでの遷移にかかる時間量、及び／又は強制吸気圧力レベルから強制呼気圧力レベルまでの前記呼吸ガスの加圧フローの圧力変化のレート、の一方又は両方を含む、請求項１１に記載のシステム。